(57)【要約】      （修正有）【課題】おむつ交換介護作業時に、被介護者の尻部を浮かせた状態が容易に得られ、かつ、保持でき、おむつ交換介護作業時の補助具として好適な器具を提供する。【解決手段】ベルト１の一方の端にベルト１を締め付ける留め具を設け、ベルト１の他方の端にベッドのパイプ６に掛けるためのフック、端から等間隔に同じくベッドのパイプ６に掛けるための複数のフックを設けた寝位置Ａに合わせて調整可能なベルト１を被介護人の両膝７上に巻き、足が抜けないように留め具でベッドを締め付け、寝位置Ａに合わせて尻部浮上量Ｂが１〜２ｃｍになるようにフックを選び、ベッドのパイプ６に掛けることにより、容易に尻部を浮かせ、浮かせた状態を保持し、おむつ５の差し替えおよび尻部の清拭を行う。【選択図】図１
2008062003.tif 000002
【特許請求の範囲】
【請求項１】
おむつ交換介護作業時に、被介護者の尻部を浮かせ保持するためのベルトであって、ベルトの一方の端にベルトを締め付ける留め具を設け、ベルトの他方の端にベッドのパイプに掛けるためのフック（３）、端から等間隔にベッドのパイプに掛けるための複数のフック（４）を設けた寝位置に合わせて調整可能なことを特徴とするおむつ交換介護補助ベルト。
【請求項２】
おむつ交換介護作業時に、被介護者の尻部を浮かせ保持するためのベルトであって、ベルトの一方の端にベルトを締め付ける留め具を設け、ベルトの他方の端にベッドのパイプに掛けるための切り欠き（９）および複数の切り欠き（１０）を施したフック（８）を設けた寝位置に合わせて調整可能なことを特徴とするおむつ交換介護補助ベルト。
【発明の詳細な説明】
【技術分野】
【０００１】  本発明は、おむつ交換介護作業時に、被介護者の尻部を浮かせ、浮かせた状態を保持するための、おむつ交換介護補助ベルトに関するものである。
【背景技術】
【０００２】  従来、おむつ交換介護作業は、被介護者の尻部を浮かせるには力を要するため、一度に行えず、尻部を片側ずつ片手で持ち上げ、または横に起こし保持し、片手でおむつの差し替え、尻部の清拭を行う。左右繰り返し、尻部を水平に戻し、おむつの装着をする。介護人二人掛かりで行うこともある。
【発明の開示】
【発明が解決しようとする課題】
【０００３】  従来のおむつ交換介護作業方法には、次のような問題点があった。
イ）介護人が中腰で行う当作業は、かなりの重労働であり、介護人の腰への負担も大きい。
ロ）被介護者の尻部を片側ずつ清拭するので、時間も要する。また介護人の二人分の手間が取られる。
ハ）尻部の清拭は丁寧に清拭しても、綺麗にならない。
そこで、この発明は、被介護者の尻部を浮かせた状態が容易に得られ、かつ、保持できる。従って、前記の問題点を解決し、おむつ交換介護作業時の補助具として好適な器具を提供することを課題とする。
【課題を解決するための手段】
【０００４】  請求項１よる手段は、ベルトの一方の端にベルトを締め付ける留め具を設け、ベルトの他方の端にベッドのパイプに掛けるためのフック（３）、端から等間隔に同じくベッドのパイプに掛けるための複数のフック（４）設けた寝位置に合わせて調整可能なベルトを被介護人の両膝上に巻き、足が抜けないように留め具でベルトを締め付け、寝位置（Ａ）に合わせて尻部浮上量（Ｂ）が１〜２ｃｍになるようにフック（３）またはフック（４）を選び、ベッドのパイプに掛けることにより、容易に尻部を浮かせ、浮かせた状態を保持する。
請求項２よる手段は、ベルトの一方の端にベルトを締め付ける留め具を設け、ベルトの他方の端にベッドのパイプに掛けるためのフック（８）を設けた寝位置に合わせて調整可能なベルトを被介護人の両膝上に巻き、足が抜けないように留め具でベルトを締め付け、寝位置（Ａ）に合わせて尻部浮上量（Ｂ）が１〜２ｃｍになるようにフック（８）の切り欠き（９）または切り欠き（１０）を選び、ベッドのパイプに掛けることにより、容易に尻部を浮かせ、浮かせた状態を保持する。【０００５】  本発明を使用することにより、
イ）被介護者の尻部を浮かせた状態が容易に得られ、保持できるので、介護人の腰への負担を軽減できる。
ロ）おむつの差し替え、尻部の清拭が一度にでき、短時間ですむ。
ハ）両手が使えるので綺麗にできる。
ニ）衣服等の脱着時にも利用でき、円滑に行うことができる。
【発明を実施するための最良の形態】
【０００６】  以下、本発明の実施の形態について説明する。
【実施例１】
【０００７】  図２に示すように、布または皮等からなる長尺状のベルト（１）の一方の端にベルト（１）を締め付けるＵ型の留め具（２）を設け、ベルト（１）の他方の端にベッドのパイプ（６）に掛けるためのＳ型のフック（３）、また端から等間隔に同じくベッドのパイプ（６）に掛けるための複数のＳ型のフック（４）を取り付ける。
本発明は以上の構成からなる。
本発明を使用する場合は、図３に示すように、被介護者の両膝（７）上に本ベルト（１）を巻き、足が抜けないように留め具（２）の掛け部をベルト（１）の首部に掛けてベルト（１）を締め付ける。次に図１に示すように、寝位置（Ａ）に合わせて被介護者の尻部浮上量（Ｂ）が１〜２ｃｍになるようにフック（３）またはフック（４）を選び、図４に示すように、選んだフック（３）またはフック（４）の掛け部をベッドのパイプ（６）に掛け、尻部を浮かせ、浮かせた状態を保持し、おむつ（５）の差し替えおよび尻部の清拭を行う。
なおこのとき、図４（ａ）に示すように、ベルト（１）を最大に長くして使用するときはフック（３）の掛け部をベッドのパイプ（６）に掛ける。ベルト（１）の長さを調整してベルト（１）を短くしたときは必要に応じて図４（ｂ）に示すように、ベルト（１）の長さに合う位置のいずれかのフック（４）を使用して掛け部をベッドのパイプ（６）に掛ける。
この場合、ベッドのパイプ（６）上方にスペースがない場合等に使用できる利点がある。
【実施例２】
【０００８】  図５に示すように、ベルト（１）の一方の端にベルト（１）を締め付ける留め具（２）を設け、ベルト（１）の他方の端にベッドのパイプ（６）に掛けるための切り欠き（９）および複数の切り欠き（１０）を設けたフック（８）を取り付ける。
本発明は以上の構成からなる。
本発明を使用する場合は、図３に示すように、被介護者の両膝（７）上に本ベルト（１）を巻き、足が抜けないように留め具（２）の掛け部をベルト（１）の首部に掛けてベルト（１）を締め付ける。次に図１に示すように、寝位置（Ａ）に合わせて被介護者の尻部浮上量（Ｂ）が１〜２ｃｍになるようにフック（８）の切り欠き（９）または切り欠き（１０）を選び、図６に示すように、選んだ切り欠き（９）または切り欠き（１０）の掛け部をベッドのパイプ（６）に掛け、尻部を浮かせ、浮かせた状態を保持し、おむつ（５）の差し替えおよび尻部の清拭を行う。
なおこのとき、図６（ａ）に示すように、ベルト（１）を最大に長くして使用するときはフック（８）の切り欠き（９）の掛け部をベッドのパイプ（６）に掛ける。ベルト（１）の長さを調整してベルト（１）を短くしたときは必要に応じて図６（ｂ）に示すように、ベルト（１）の長さに合う位置のいずれかの切り欠き（１０）を使用して掛け部をベッドのパイプ（６）に掛ける。
この場合、介護者はベッドのパイプ（６）から離れた位置からフック（８）をベッドのパイプ（６）に掛けることができる利点がある。
【図面の簡単な説明】
【０００９】
【図１】本発明実施例１の使用状態を示す斜視図
【図２】本発明実施例１の側面図
【図３】本発明実施例１、２の使用状態を示す要部拡大の正面図
【図４】本発明実施例１の使用状態を示す要部拡大の斜視図
【図５】本発明実施例２の側面図
【図６】本発明実施例２の使用状態を示す要部拡大の斜視図
【符号の説明】
【００１０】  １  ベルト              Ａ  寝位置
２  留め具              Ｂ  尻部浮上量
３  フック
４  フック
５  おむつ
６  ベッドのパイプ
７  膝
８  フック
９  切り欠き
１０  切り欠き
【図１】
2008062003.tif 000003
【図２】
2008062003.tif 000004
【図３】
2008062003.tif 000005
【図４】
2008062003.tif 000006
【図５】
2008062003.tif 000007
【図６】
2008062003.tif 000008